(57)【要約】【課題】従来より動き易く、椅子に腰掛けても圧迫感の少ないビジネスズボンを提供する。【解決手段】左足側の前身頃１及び後身頃２と右足側の前身頃１及び後身頃２の計４枚のパーツからなるビジネスズボンに関し、前身頃１の股ぐり９下部から前身折れ線３までの幅寸法Ａのうち、前記前身頃１の股ぐり９の幅寸法Ｂが占める割合を４０％以下とし且つ前記前身頃１の股ぐり９上部から前身折れ線３までの幅寸法Ｃが占める割合を６０％以上とすると共に、後身頃２の股ぐり１０下部から後身折れ線４までの幅寸法ａのうち、前記後身頃２の股ぐり１０の幅寸法ｂが占める割合を９０％〜１１０％とし且つ前記後身頃２の股ぐり１０上部から後身折れ線４までの幅寸法ｃが占める割合を１０％〜−１０％とする。【選択図】図２
2013147766.tif 000002
【特許請求の範囲】
【請求項１】
左足側の前身頃及び後身頃と右足側の前身頃及び後身頃の計４枚のパーツからなるビジネスズボンにおいて、前身頃の股ぐり下部から前身折れ線までの幅寸法Ａのうち、前記前身頃の股ぐりの幅寸法Ｂが占める割合を４０％以下とし且つ前記前身頃の股ぐり上部から前身折れ線までの幅寸法Ｃが占める割合を６０％以上とすると共に、後身頃の股ぐり下部から後身折れ線までの幅寸法ａのうち、前記後身頃の股ぐりの幅寸法ｂが占める割合を９０％〜１１０％とし且つ前記後身頃の股ぐり上部から後身折れ線までの幅寸法ｃが占める割合を１０％〜−１０％としたことを特徴とするビジネスズボン。
【発明の詳細な説明】
【技術分野】
【０００１】
本発明は、ビジネスズボンに関するものである。
【背景技術】
【０００２】
従来よりビジネスマンの仕事着として着用されているビジネスズボンは、左足側の前身頃及び後身頃と右足側の前身頃及び後身頃の計４枚のパーツから成り立ち、前身頃と後身頃の縫い合わせは、脚部の側面（脇）で行われるようになっており、このようなトラディショナルなスタイルが長きにわたり踏襲され続けている。
【０００３】
例えば、図４により右足側のパーツについて具体的に示すと、その前身頃１と後身頃２は図示の如き形状となる。尚、左足側の前身頃１及び後身頃２の形状は、先の図４における右足側の前身頃１及び後身頃２の形状と線対称の形状となるだけである。
【０００４】
そして、これら前身頃１と後身頃２の夫々を前身折れ線３及び後身折れ線４で折り曲げて脚部の側面（脇）に当たる位置で相互の内側縁部５，６同士と外側縁部７，８同士とを縫い合わせると、右足を通す筒状の右半身が作成するので、これと同様にして作成した左半身と前記右半身とを相互の股ぐり９，１０を介して縫い合わせることで、図５に示す如きビジネスズボン１１（図５は左半身側から見た図示としてある）として完成させることが可能となる。
【０００５】
斯かる従来のビジネスズボン１１においては、その股ぐり９，１０の寸法関係が起立姿勢を基準として決定されており、図６に示す如く、前身頃１の股ぐり９下部から前身折れ線３までの幅寸法Ａのうち、前記前身頃１の股ぐり９の幅寸法Ｂが占める割合が５０％〜６０％、前記前身頃１の股ぐり９上部から前身折れ線３までの幅寸法Ｃが占める割合が４０％〜５０％となっており、また、後身頃２の股ぐり１０下部から後身折れ線４までの幅寸法ａのうち、前記後身頃２の股ぐり１０の幅寸法ｂが占める割合が８０％〜９０％、前記前身頃１の股ぐり９上部から前身折れ線３までの幅寸法ｃが占める割合が１０％〜２０％となっていた。
【０００６】
尚、本発明に関連する先行技術文献情報としては下記の特許文献１等がある。
【先行技術文献】
【特許文献】
【０００７】
【特許文献１】特開２００２−１０５７１２号公報
【発明の概要】
【発明が解決しようとする課題】
【０００８】
しかしながら、このような従来の寸法関係で作られたビジネスズボン１１は、起立姿勢において楽な着心地が得られる反面、前屈みになったり、しゃがみ込んだり、大きく腿を上げたりする姿勢をとろうとした際に、腰周りや臀部周りが突っ張る感じがして動き難いという問題があり、特にデスクワークを主たる業務とするようなビジネスマンの場合には、椅子に腰掛けている間中、腰周りや臀部周りが突っ張ることでウエスト部分に圧迫感が生じて快適に業務を行うことができないという問題があった。
【０００９】
本発明は上述の実情に鑑みてなしたもので、従来より動き易く、椅子に腰掛けても圧迫感の少ないビジネスズボンを提供することを目的とする。
【課題を解決するための手段】
【００１０】
本発明は、左足側の前身頃及び後身頃と右足側の前身頃及び後身頃の計４枚のパーツからなるビジネスズボンにおいて、前身頃の股ぐり下部から前身折れ線までの幅寸法Ａのうち、前記前身頃の股ぐりの幅寸法Ｂが占める割合を４０％以下とし且つ前記前身頃の股ぐり上部から前身折れ線までの幅寸法Ｃが占める割合を６０％以上とすると共に、後身頃の股ぐり下部から後身折れ線までの幅寸法ａのうち、前記後身頃の股ぐりの幅寸法ｂが占める割合を９０％〜１１０％とし且つ前記後身頃の股ぐり上部から後身折れ線までの幅寸法ｃが占める割合を１０％〜−１０％としたことを特徴とするものである。
【００１１】
而して、このようにすれば、左足側の前身頃及び後身頃と右足側の前身頃及び後身頃の計４枚のパーツを縫い合わせてビジネスズボンとして完成させた際に、従来の既存のビジネスズボンよりも股ぐりが前傾したビジネスズボンが得られ、換言すれば、起立姿勢から少し前屈みになった姿勢を基準とするビジネスズボンが得られるので、前屈みになったり、しゃがみ込んだり、大きく腿を上げたりする姿勢をとろうとした際に、腰周りや臀部周りが突っ張る感じが従来より大幅に少なくなって動き易くなり、しかも、椅子に腰掛けても腰周りや臀部周りが従来より突っ張らないため、ウエスト部分の圧迫感が著しく軽減されることになる。
【発明の効果】
【００１２】
上記した本発明のビジネスズボンによれば、前屈みになったり、しゃがみ込んだり、大きく腿を上げたりする姿勢を従来より楽にとることができて動き易くなるので、着用時における運動機能性を大幅に向上することができ、また、椅子に腰掛けてもウエスト部分に生じる圧迫感が少なくて済むので、特にデスクワークを主たる業務とするようなビジネスマンであっても快適に業務を行うことができる等種々の優れた効果を奏し得る。
【図面の簡単な説明】
【００１３】
【図１】本発明を実施する形態の一例を示す展開図である。
【図２】図１の要部を拡大して示す説明図である。
【図３】本形態例のビジネスズボンの側面図である。
【図４】従来例を示す展開図である。
【図５】従来のビジネスズボンの側面図である。
【図６】図４の要部を拡大して示す説明図である。
【発明を実施するための形態】
【００１４】
以下本発明の実施の形態を図面を参照しつつ説明する。
【００１５】
図１〜図３は本発明を実施する形態の一例を示すもので、図４〜図６と同一の符号を付した部分は同一物を表わしている。
【００１６】
本形態例においては、ビジネスズボンで唯一身体の前後に縫い目の通っている股ぐりに着目し、図１及び図２に示す如く、前身頃１の股ぐり９上部を既存のビジネスズボンで実施されたことがない範囲まで前身折れ線３から遠ざけて股ぐり９のラインを従来より立ち上げると共に、後身頃２の股ぐり１０上部を既存のビジネスズボンで実施されたことがない範囲まで後身折れ線４に近づける、又は後身折れ線４を超えさせて股ぐり１０のラインを従来より傾斜させるようにしている。
【００１７】
より具体的には、前身頃１の股ぐり９下部から前身折れ線３までの幅寸法Ａのうち、前記前身頃１の股ぐり９の幅寸法Ｂが占める割合を４０％以下とし且つ前記前身頃１の股ぐり９上部から前身折れ線３までの幅寸法Ｃが占める割合を６０％以上とすると共に、後身頃２の股ぐり１０下部から後身折れ線４までの幅寸法ａのうち、前記後身頃２の股ぐり１０の幅寸法ｂが占める割合を９０％〜１１０％とし且つ前記後身頃２の股ぐり１０上部から後身折れ線４までの幅寸法ｃが占める割合を１０％〜−１０％としている。
【００１８】
ここで、後身頃２の股ぐり１０における幅寸法ｂの割合が１００％を超えたり、後身頃２の股ぐり１０上部から後身折れ線４までの幅寸法ｃの割合がマイナスとなっているのは、後身頃２の股ぐり１０上部が後身折れ線４を超えて後身頃２の外側縁部８側に近づくことを意味している。
【００１９】
尚、図１及び図２は右足側の前身頃１と後身頃２について図示したものであるが、前述した通り、左足側の前身頃１及び後身頃２の形状は、右足側の前身頃１及び後身頃２の形状と線対称の形状となるだけであり、左足側の前身頃１及び後身頃２にも同様の寸法関係が適用されることは勿論である。
【００２０】
而して、このようにすれば、図３に示す如く、左足側の前身頃１及び後身頃２と右足側の前身頃１及び後身頃２の計４枚のパーツを縫い合わせてビジネスズボン１２（図３は左半身側から見た図示としてある）として完成させた際に、従来の既存のビジネスズボンよりも股ぐり９，１０が前傾したビジネスズボン１２が得られ、換言すれば、起立姿勢から少し前屈みになった姿勢を基準とするビジネスズボン１２が得られるので、前屈みになったり、しゃがみ込んだり、大きく腿を上げたりする姿勢をとろうとした際に、腰周りや臀部周りが突っ張る感じが従来より大幅に少なくなって動き易くなり、しかも、椅子に腰掛けても腰周りや臀部周りが従来より突っ張らないため、ウエスト部分の圧迫感が著しく軽減されることになる。
【００２１】
従って、上記形態例によれば、前屈みになったり、しゃがみ込んだり、大きく腿を上げたりする姿勢を従来より楽にとることができて動き易くなるので、着用時における運動機能性を大幅に向上することができ、また、椅子に腰掛けてもウエスト部分に生じる圧迫感が少なくて済むので、特にデスクワークを主たる業務とするようなビジネスマンであっても快適に業務を行うことができる。
【００２２】
尚、本発明のビジネスズボンは、上述の形態例にのみ限定されるものではなく、本発明の要旨を逸脱しない範囲内において種々変更を加え得ることは勿論である。
【符号の説明】
【００２３】
１  前身頃
２  後身頃
３  前身折れ線
４  後身折れ線
９  前身頃の股ぐり
１０  後身頃の股ぐり
１２  ビジネスズボン（本形態例）
Ａ  前身頃の股ぐり下部から前身折れ線までの幅寸法
Ｂ  前身頃の股ぐりの幅寸法
Ｃ  前身頃の股ぐり上部から前身折れ線までの幅寸法
ａ  後身頃の股ぐり下部から後身折れ線までの幅寸法
ｂ  後身頃の股ぐりの幅寸法
ｃ  後身頃の股ぐり上部から後身折れ線までの幅寸法
【図１】
2013147766.tif 000003
【図２】
2013147766.tif 000004
【図３】
2013147766.tif 000005
【図４】
2013147766.tif 000006
【図５】
2013147766.tif 000007
【図６】
2013147766.tif 000008